(57)【特許請求の範囲】
【請求項１】
発光を行う閃光装置と、該閃光装置に接続された撮像装置とを有する撮像装置システムにおいて、
少なくとも１つの接続端子を備える接続部を備え、
前記撮像装置は、撮影動作が可能なスタンバイモードと該スタンバイモードよりも消費電力が少ないスリープモードとを切替え可能であり、
前記閃光装置は、第１の通信インタフェース部と、前記接続端子の電位を接地レベルとする第１の端子レベル制御手段と、を備え、
前記撮像装置は、第２の通信インタフェース部を備えており、
前記閃光装置及び前記撮像装置は、前記第１の通信インタフェース部及び前記第２の通信インタフェース部を介して相互にデータ通信を行い、
前記閃光装置は、前記第１の端子レベル制御手段によって、前記撮像装置を前記スリープモードから前記スタンバイモードに遷移させるときに前記接続端子の電位を接地レベルとし、前記撮像装置が前記スタンバイモードである場合において前記撮像装置と前記データ通信を行うときに前記接続端子の電位を接地レベルとし、
前記撮像装置は、前記スリープモードであるとき、前記接続端子の電位が前記接地レベルとなったか否かを検知して前記接続端子の電位が前記接地レベルとなると、前記スリープモードから前記スタンバイモードへの切替えを行う切替手段と、前記スタンバイモードであるとき、前記接続端子の電位が前記接地レベルとなったか否かを検知して前記接続端子の電位が前記接地レベルとなると、前記第１の通信インタフェース部及び前記第２の通信インタフェース部を介して前記閃光装置と通信を行う通信制御手段と、を備えることを特徴とする撮像装置システム。
【請求項２】
前記切替手段は、割込み端子を備えると共に該割込み端子を介して前記接続端子の電位を監視し、前記スタンバイモードのときは前記割込み端子による割込みを禁止し、前記スリープモードのときは前記割込み端子による割込みを許可することを特徴とする請求項１記載の撮像装置システム。
【請求項３】
前記通信制御手段は、割込み端子を備えると共に該割込み端子を介して前記接続端子の電位を監視し、前記スタンバイモードのときには前記割込み端子による割込みを許可することを特徴とする請求項１記載の撮像装置システム。
【請求項４】
前記撮像装置は、前記閃光装置に発光開始を指示するとき、前記接続端子の電位を接地レベルとする第２の端子レベル制御手段を有し、
前記閃光装置は、前記接続端子の電位が前記接地レベルとなったか否かを検知して前記接続端子の電位が前記接地レベルとなると、前記発光開始の指示があったとして発光制御を行う発光制御手段を有することを特徴とする請求項１乃至３のいずれか１項に記載の撮像装置システム。
【請求項５】
発光を行う閃光装置に接続可能な撮像装置であって、
閃光装置と接続される少なくとも１つの接続端子を備える接続部と、
撮影動作が可能なスタンバイモードと該スタンバイモードよりも消費電力が少ないスリープモードとを切替える切替手段と、
通信インタフェース部と、
前記通信インタフェース部を介して前記閃光装置と通信を行う通信制御手段と、を有し、
前記切替手段は、前記スリープモードであるとき、前記接続端子の電位が前記接地レベルとなったか否かを検知して前記接続端子の電位が前記接地レベルとなると、前記スリープモードから前記スタンバイモードへの切替えを行い、
前記通信制御手段は、前記スタンバイモードであるとき、前記接続端子の電位が前記接地レベルとなったか否かを検知して前記接続端子の電位が前記接地レベルとなると、前記通信インタフェース部を介して前記閃光装置と通信を行うことを特徴とする撮像装置。
【請求項６】
撮影動作が可能なスタンバイモードと該スタンバイモードよりも消費電力が少ないスリープモードとを備えた撮像装置に接続可能な閃光装置であって、
撮像装置と接続される少なくとも１つの接続端子を備える接続部と、
通信インタフェース部と、
前記接続端子の電位を接地レベルとする端子レベル制御手段と、を有し、
前記端子レベル制御手段は、接続された撮像装置が前記スリープモードである場合に、前記接続端子の電位を接地レベルにして前記接続された撮像装置を前記スリープモードから前記スタンバイモードに切替えさせ、前記接続された撮像装置が前記スタンバイモードである場合に、前記接続端子の電位を接地レベルにして前記接続された撮像装置に前記通信インタフェース部を介してデータ通信を開始させることを特徴とする閃光装置。
【発明の詳細な説明】
【技術分野】
【０００１】
本発明は、撮像装置システム、撮像装置、及び閃光装置に関する。
【背景技術】
【０００２】
一般に、カメラ等の撮像装置においては、周囲の明るさに応じてストロボ装置等の閃光装置が用いられる。ここでは、撮像装置と当該撮像装置に接続された閃光装置とを有するシステムを撮像装置システムと呼ぶ。このような撮像装置システムにおいては、撮像装置に閃光装置を接続する際には、インタフェース（以下、通信インタフェースと呼ぶ）を介して閃光装置を撮像装置に接続している。
【０００３】
通信インタフェースには、発光開始信号を撮像装置から閃光装置に伝えるための端子（Ｘ端子）と、ディジタル通信を行うためのクロック端子及びデータ端子等とが備えられている。さらに、通信インタフェースにはアナログ電圧レベルで情報の伝達を行うようにしたものもある（以下、旧通信インタフェースと呼ぶ）。加えて、通信インタフェースには、ディジタル通信による情報伝達及びアナログ電圧レベルによる情報伝達が混在したものもある（以下、混在通信インタフェースと呼ぶ）。
【０００４】
そして、一般に、閃光装置は撮像装置から送られる起動信号によって起動して、撮像装置から送られる通信開始信号によって通信を開始する。
【０００５】
一方、閃光装置から撮像装置を起動するようにしたものがある（例えば、特許文献１参照）。さらに、ストロボ・スイッチ又は距離設定スイッチのオン／オフ、そして、充電完了信号に応じて撮像装置に入力する電圧を変化させて、撮像装置においてストロボ装置のオン／オフ、及び充電完了の有無等を認識するようにしたものがある（例えば、特許文献２参照）。そして、ここでは、Ｘ端子に接続する抵抗を切り替えて、複数の情報を伝達するようにしている。
【先行技術文献】
【特許文献】
【０００６】
【特許文献１】特開平１−２８７６４３号公報
【特許文献２】特開平６−１８６６１９号公報
【発明の概要】
【発明が解決しようとする課題】
【０００７】
ところで、上述の撮像装置システムにおいては、閃光装置から撮像装置の起動を行うため、撮像装置がスリープ状態である際通電カット及び電流の逆流を防止するための電流逆流防止回路と起動用の常時通電回路とが通信インタフェースのクロック端子に接続されている。
【０００８】
一方、前述のように、旧通信インタフェース及び混在通信インタフェースにおいては、閃光装置と撮像装置とが通信中でない場合においても、電圧検知等のためアナログ回路を動作させる必要があり、これによって電力が消費される。
【０００９】
混在通信インタフェースにおいては、撮像装置がスリープ状態となると電力消費を最小限にするため、混在通信インタフェースの電源を遮断している。このため、撮像装置がスリープ状態である場合に、閃光装置から撮像装置に起動信号を送ろうとすると、撮像装置側のインタフェース回路に電流の流れ込みが発生して、撮像装置側のインタフェース回路が破壊される恐れがある。
【００１０】
本発明の目的は、混在通信インタフェースを用いて撮像装置と閃光装置とが接続されたとき、閃光装置から撮像装置に通信開始要求を行うことができるとともに、撮像装置がスリープ状態であっても閃光装置から撮像装置に信号を伝達することができる撮像装置システム、撮像装置、及び閃光装置を提供することにある。
【課題を解決するための手段】
【００１１】
上記の目的を達成するために、本発明による撮像装置システムは、発光を行う閃光装置と、該閃光装置に接続された撮像装置とを有する撮像装置システムにおいて、少なくとも１つの接続端子を備える接続部を備え、前記撮像装置は、撮影動作が可能なスタンバイモードと該スタンバイモードよりも消費電力が少ないスリープモードとを切替え可能であり、前記閃光装置は、第１の通信インタフェース部と、前記接続端子の電位を接地レベルとする第１の端子レベル制御手段と、を備え、前記撮像装置は、第２の通信インタフェース部を備えており、前記閃光装置及び前記撮像装置は、前記第１の通信インタフェース部及び前記第２の通信インタフェース部を介して相互にデータ通信を行い、前記閃光装置は、前記第１の端子レベル制御手段によって、前記撮像装置を前記スリープモードから前記スタンバイモードに遷移させるときに前記接続端子の電位を接地レベルとし、前記撮像装置が前記スタンバイモードである場合において前記撮像装置と前記データ通信を行うときに前記接続端子の電位を接地レベルとし、前記撮像装置は、前記スリープモードであるとき、前記接続端子の電位が前記接地レベルとなったか否かを検知して前記接続端子の電位が前記接地レベルとなると、前記スリープモードから前記スタンバイモードへの切替えを行う切替手段と、前記スタンバイモードであるとき、前記接続端子の電位が前記接地レベルとなったか否かを検知して前記接続端子の電位が前記接地レベルとなると、前記第１の通信インタフェース部及び前記第２の通信インタフェース部を介して前記閃光装置と通信を行う通信制御手段と、を備えることを特徴とする。
【発明の効果】
【００１２】
本発明によれば、混在通信インタフェースを用いて撮像装置と閃光装置とが接続されたとき、閃光装置から撮像装置に通信開始要求を行うことができるとともに、撮像装置がスリープ状態であっても閃光装置から撮像装置に信号を伝達することができる。
【図面の簡単な説明】
【００１３】
【図１】本発明の第１の実施形態による撮像装置システムの構成の一例を示す図である。
【図２】図１に示すカメラマイコンの動作を説明するためのフローチャートである。
【図３】図１に示すカメラマイコンのレリーズスイッチオンの際の動作を説明するためのフローチャートである。
【図４】図２に示す閃光装置マイコンの動作を説明するためのフローチャートである。
【図５】図２に示す閃光装置マイコンの発光動作を説明するためのフローチャートである。
【図６】本発明の第２の実施形態による撮像装置システムの動作を説明するためのフローチャートである。
【図７】本発明の第２の実施形態において、カメラが動作状態である際に、閃光装置から通信割込み要求があった場合の動作について説明するためのフローチャートである。
【図８】本発明の第２の実施形態による閃光装置の動作を説明するためのフローチャートである。
【発明を実施するための形態】
【００１４】
以下、本発明の実施の形態による撮像装置システムの一例について図面を参照して説明する。
【００１５】
（第１の実施形態）
図１は、本発明の第１の実施形態による撮像装置システムの構成の一例を示す図である。
【００１６】
図１を参照して、図示の撮像装置システムは撮像装置（以下、カメラと呼ぶ）１００ａと当該カメラ１００ａに接続された閃光装置（ストロボ装置とも呼ぶ）２００ａとを備えている。図示のカメラ１００ａは、撮影動作が可能な状態であるスタンバイモード（スタンバイ状態）と当該スタンバイモードよりも消費電力が少ないスリープモード（スリープ状態）とを備えている。同様に、閃光装置２００ａもスタンバイモードとスリープモードとを備えている。
【００１７】
カメラ１００ａはマイクロコンピュータ（以下、カメラマイコンと呼ぶ）１００及び第１の通信インタフェース部（Ｉ／Ｆ）１０１を有している。このカメラマイコン１００はカメラ１００ａに関する各種制御を行うとともに、カメラ１００ａと閃光装置２００ａとの通信制御及び閃光装置１００ａの発光制御等を行う。
【００１８】
一方、閃光装置２００ａはマイクロコンピュータ（以下、閃光装置マイコンと呼ぶ）２００及び第２の通信インタフェース部（Ｉ／Ｆ）２０１を有している。この閃光装置マイコン２００は、閃光装置２００ａに関する各種制御を行うとともに、閃光装置２００ａカメラとの通信制御及び閃光装置２００の発光制御を行う。そして、第１及び第２の通信インタフェース部１０１及び２０１は接点群（接続部とも呼ぶ）１１０を介して互いに接続されている。
【００１９】
カメラマイコン１００はクロック（ＳＣＬＫ）端子、データ送信端子及びデータ受信端子（ＭＯＳＩ端子及びＭＩＳＯ端子）、カメラ側制御端子（ＥＦＳＴ端子）、及び割り込み信号受信端子（ＩＲＱ＿ＷＡＫＥ端子：第１の割込み端子）を有している。ＭＯＳＩ端子はカメラ１００ａから閃光装置２００ａにデータを送信する際の端子であり、ＭＩＳＯ端子は閃光装置２００ａからカメラ１００ａにデータを送信した際に当該データを受信する端子である。つまり、カメラ１００ａと閃光装置２００ａとは相互にデータ通信を行う。
【００２０】
図示のように、ＳＣＬＫ端子、ＭＯＳＩ端子、及びＭＩＳＯ端子は第１の通信インタフェース部１０１に接続されている。そして、第１の通信インタフェース部１０１には電源１０２が接続され、当該電源１０２から電力が第１の通信インタフェース部１０１に供給される。第１の通信インタフェース部１０１は、接続部１１０を介して受けた信号（データ）のレベル変換を行って、ＳＣＬＫ端子、ＭＯＳＩ端子、及びＭＩＳＯ端子に与える。
【００２１】
接続部１１０は、Ｘ接点（接続端子）１１０ａ、接地（ＧＮＤ）接点１１０ｂ、ＳＣＬＫ接点１１０ｃ、ＭＯＳＩ接点１１０ｄ、及びＭＩＳＯ接点１１０ｅを備えている。なお、図示のＸ接点１１０ａはカメラマイコン１００から閃光装置マイコン２００に発光開始信号を伝達するための端子である。そして、前述の第１の通信インタフェース部１０１はＳＣＬＫ接点１１０ｃ、ＭＯＳＩ接点１１０ｄ、及びＭＩＳＯ接点１１０ｅに接続されている。
【００２２】
カメラマイコン１００のＥＦＳＴ端子にはスイッチング素子であるＭＯＳタイプのデプレッション型Ｎチャンネル電界効果トランジスタ（ＦＥＴ：第１のスイッチング手段）１０３のゲート端子が接続されている。そして、ＦＥＴ１０３のソース端子は接地され、そのドレイン端子は接続部１１０のＸ接点１１０ａに接続されている。ＩＲＱ＿ＷＡＫＥ端子には抵抗器１０５を介して電源１０６が接続され、さらに、ＩＲＱ＿ＷＡＫＥ端子はダイオード１０４（第１のダイオード）を介してＦＥＴ１０３のドレイン端子及びＸ接点に接続されている。
【００２３】
具体的には、ダイオード１０４のカソードがＦＥＴ１０３のドレイン端子及びＸ接点に接続され、ダイオード１０４のアノードが抵抗器１０６及びカメラマイコン１００のＩＲＱ＿ＷＡＫＥ端子に接続されている。
【００２４】
閃光装置マイコン２００は閃光装置側制御端子（ＷＡＫＥ）及び割り込み端子（ＩＲＱ＿Ｘ：第２の割込み端子）を備えている。前述の第２の通信インタフェース部２０１はＳＣＬＫ接点１１０ｃ、ＭＯＳＩ接点１１０ｄ、及びＭＩＳＯ接点１１０ｅに接続されている。そして、第２の通信インタフェース部２０１には電源２０２が接続され、当該電源２０２から電力が第２の通信インタフェース部２０１に供給される。第２の通信インタフェース部２０１は、ＳＣＬＫ接点１１０ｃ、ＭＯＳＩ接点１１０ｄ、及びＭＩＳＯ接点１１０ｅを介して受けた信号（データ）をレベル変換して、閃光装置マイコン２００に与える。
【００２５】
閃光装置マイコン２００において、ＷＡＫＥ端子にはスイッチング素子であるＭＯＳタイプのデプレッション型Ｎチャンネル電界効果トランジスタ（ＦＥＴ：第２のスイッチング手段）２０３のゲート端子が接続されている。そして、ＦＥＴ２０３のソース端子は接続部１１０において接地され、そのドレイン端子はＸ端子１１０ａに接続されている。ＩＲＱ＿Ｘ端子には抵抗器２０５を介して電源２０６が接続され、さらに、ＩＲＱ＿Ｘ端子はダイオード２０４（第２のダイオード）を介してＦＥＴ２０３のドレイン端子に接続されている。
【００２６】
具体的には、ダイオード２０４のアノードが抵抗器２０５及びＩＲＱ＿Ｘ端子に接続され、ダイオード２０４のカソードがＦＥＴ２０３のドレイン端子及び接続部１１０のＸ端子１１０ａに接続されている。
【００２７】
ここで、カメラ１００ａに注目して、ＦＥＴ１０３はカメラマイコン１００によってオン／オフ制御される。いま、ＦＥＴ１０３がオンすると、Ｘ端子１１０ａはＧＮＤレベル（接地レベル）となって、カメラマイコン１００から閃光装置マイコン２００に発光開始信号が伝達される（発光開始が指示される）。つまり、閃光装置マイコン２００はＩＲＱ＿Ｘ端子を介してＸ端子１１０ａの電位を監視しており、Ｘ端子１１０ａがＧＮＤレベルとなると、当該ＧＮＤレベルを検知して発光開始の旨を知ることになる。
【００２８】
前述のように、ダイオード１０４はそのアノードが、カメラマイコン１００のＩＲＱ＿ＷＡＫＥ端子に接続されおり、これによって、Ｘ端子１１０ａを介して高電圧が印加される閃光装置が接続されても、カメラマイコンマイコン１００を保護する働きをする。なお、ダイオード１０４は高電圧印加可能なダイオードである。
【００２９】
抵抗器１０５はカメラマイコン１００のＩＲＱ＿ＷＡＫＥ端子をプルアップするための抵抗器であり、電源１０６はカメラ１００がスリープ状態であっても印加される。
【００３０】
続いて、閃光装置２００ａに注目して、ＦＥＴ２０３は閃光装置マイコン２０３によってオン／オフ制御され、ＦＥＴ２０３がオンすると、Ｘ端子１１０ａがＧＮＤレベルとなる。なお、ＦＥＴ２０３は高電圧印加可能であり、これによって、Ｘ端子１１０ａを介して高電圧が印加される閃光装置を接続した際、閃光装置マイコン２００のＷＡＫＥ端子が保護される。
【００３１】
前述のように、ダイオード２０４はそのアノードが抵抗器２０５に接続されており、抵抗器２０５は閃光装置マイコン２００のＩＲＱ＿Ｘ端子をプルアップするための抵抗器である。そして、電源２０６は閃光装置２００ａがスリープ状態であっても印加される。
【００３２】
続いて、図１に示すカメラ１００ａの動作について、図２に示すフローチャートを用いて説明する。
【００３３】
電源スイッチ（図示せず）が操作されるか又はスリープモードを解除するスリープ解除信号（図示せず）を受けると、カメラマイコン１００は動作を開始する。カメラマイコン１００が動作すると、電源１０６から抵抗器１０５を介して通電が行われる（ステップＳ１０１）。続いて、電源１０２から第１の通信インタフェース部１０１に通電が行われる（ステップＳ１０２）。なお、スリープ状態においては、電源１０６からの通電は行われているので、スリープモードが解除された際には、ステップＳ１０１は省略されることになる。
【００３４】
続いて、カメラマイコン１００はＩＲＱ＿ＷＡＫＥ端子に関して割り込みを禁止する（ステップＳ１０３）。そして、カメラマイコン１００は内蔵タイマー（スリープタイマーと呼ぶ：図示せず）によって計時を開始する（ステップＳ１０４）。カメラマイコン１００はカメラ１００ａの操作部（図示せず）が操作されたか否かを監視する（ステップＳ１０５）。
【００３５】
操作部からの操作がないと（ステップＳ１０６において、ＮＯ）、カメラマイコン１００はスリープタイマーの計時時間（カウント値）が所定の（予め設定された）時間以上であるか否かを判定する（ステップＳ１０６）。計時時間が所定の時間未満であると（ステップＳ１０６において、ＮＯ）、カメラマイコン１００はステップＳ１０５に戻って処理を続行する。
【００３６】
一方、スリープタイマーの計時時間が所定の時間以上であると（ステップＳ１０６において、ＹＥＳ）、カメラマイコン１００は電源１０２をオフとして第１の通信インタフェース部１０１への通電を停止する（ステップＳ１０７）。そして、カメラマイコン１００はＩＲＱ＿ＷＡＫＥ端子に対する割り込みを許可して（ステップＳ１０８）、スリープモードに移行する。
【００３７】
なお、ステップＳ１０５において、操作部からの操作があると（ステップＳ１０５において、ＹＥＳ）、カメラマイコン１００はスリープタイマーをリセット（クリア）する（ステップＳ１０９）。そして、カメラマイコン１００はステップＳ１０６に移行して、スリープタイマーをリセットした際の計時時間と所定の時間とを比較することになる。
【００３８】
続いて、図１に示すカメラ１００ａにおいて、レリーズスイッチ（図示せず）がオンされた際の動作について説明する。
【００３９】
図３は、図１に示すカメラマイコン１００においてレリーズスイッチがオンされた際の動作を説明するためのフローチャートである。
【００４０】
レリーズスイッチ（図示せず）がオンされると、カメラマイコン１００はレリーズ割り込み動作（処理）を行う。レリーズ動作割り込み処理において、カメラマイコン１００は主ミラー（図示せず）のアップ動作及びシャッター（図示せず）動作を行う（カメラ動作：ステップＳ２０１）。
【００４１】
続いて、カメラマイコン１００は、閃光装置２００ａを発光させるため、ＥＦＳＴ端子をハイレベル（Ｈレベル）としてＦＥＴ（スイッチング素子）１０３を予め定められた時間の間オンする（ステップＳ２０２）。そして、カメラマイコン１００はレリーズ割り込み処理を終了する。
【００４２】
続いて、図２に示す閃光装置２００ａの動作について、図４に示すフローチャートを用いて説明する。
【００４３】
電源スイッチ（図示せず）が操作されると、閃光装置マイコン３００が動作を開始する。そして、閃光装置マイコン３００は、ＩＲＱ＿Ｘ端子に接続されたプルアップ電源２０６をオンして通電を開始する（ステップＳ３０１）。さらに、閃光装置マイコン３００は、第２の通信インタフェース部２０１の電源２０２をオンして、通電を開始する（ステップＳ３０２）。続いて、閃光装置マイコン２００は、ＩＲＱ＿Ｘ端子に対する割り込みを許可する（ステップＳ３０３）。
【００４４】
その後、閃光装置マイコン２００は充電回路（図示せず）を所定の電圧まで充電する（ステップＳ３０４）。続いて、閃光装置マイコン２００は、第２の通信インタフェース部２０２の出力に応じてカメラ１００ａがスリープ状態であるか否かについては判定する（ステップＳ３０５）。
【００４５】
つまり、カメラ１００ａがスリープ状態であれば、第１の通信インタフェース部１０１の電源１０２はオンされていない。この結果、接続部１１０において、ＳＣＬＫ端子１１０ｃ及びＭＯＳＩ端子１１０ｄがＧＮＤレベルとなっている。これによって、閃光装置マイコン２００はカメラ１００ａがスリープ状態であるか否かを判定することができる。
【００４６】
カメラ１００ａがスリープ状態ではないと判定すると（ステップＳ３０５において、ＮＯ）、閃光装置マイコン２００は電源スイッチがオフ状態とされたか否かを判定する（ステップＳ３０６）。電源スイッチがオフ状態とされていないと（ステップＳ３０６において、ＮＯ）、閃光装置マイコン２００はステップＳ３０４に戻って処理を続行する。
【００４７】
一方、電源スイッチがオフ状態とされると（ステップＳ３０６において、ＹＥＳ）、閃光装置マイコン２００は電源２０２をオフとして（ステップＳ３０７）、さらに、ＩＲＱ＿Ｘ端子に接続されたプルアップ電源２０６をオフとする（ステップＳ３０８）。続いて、閃光装置マイコン２００は充電回路を停止して（ステップＳ３０９）、処理を終了する。この際、閃光装置マイコン２００の動作は停止して電源オフ状態に移行する。
【００４８】
ステップＳ３０５において、カメラがスリープ状態であると判定すると（ステップＳ３０５において、ＹＥＳ）、閃光装置マイコン２００は閃光装置側の操作部（図示せず）からカメラ１００ａを起動する操作が行われたか否かについて判定する（ステップＳ３１５）。カメラ１００ａを起動する操作が行われないと（ステップ３１５において、ＮＯ）、閃光装置マイコン２００はステップＳ３０６に移行して処理を続行する。
【００４９】
一方、カメラ１００ａを起動する操作が行われると（ステップ３１５において、ＹＥＳ）、閃光装置マイコン２００はＩＲＱ＿Ｘ端子に対する割り込みを禁止して（ステップＳ３２０）、ＷＡＫＥ端子を予め定められた期間の間Ｈレベルとする（ステップＳ３２１）。これによって、閃光装置マイコン２００はＦＥＴ２０３（スイッチング素子）２０３を、予め定められた期間の間オンする。
【００５０】
ＦＥＴ２０３がオンすると、接続部１１０においてＸ端子１１０ａがＧＮＤレベルとなって、カメラマイコン１００のＩＲＱ＿ＷＡＫＥ端子がＨレベルからＬレベルとなる。これによって、カメラマイコン１００に対して起動割り込みが発生し（つまり、カメラマイコンはＧＮＤレベルを検知して）、カメラマイコン１００は図２で説明した動作を行うことになる。
【００５１】
続いて、閃光装置マイコン２００はＩＲＱ＿Ｘ端子に対する割り込みを許可して（ステップＳ３２２）、ステップＳ３０６に移行して処理を続行する。前述のステップＳ３２１において、閃光装置マイコン２００のＷＡＫＥ端子がＨレベルである間、ＩＲＱ＿Ｘ端子がＬレベルとなって、割り込みが禁止される。これによって、閃光装置２００ａにおける誤発光を防止することができる。
【００５２】
次に、図２に示す閃光装置２００ａの発光動作について、図５の示すフローチャートを用いて説明する。
【００５３】
閃光装置マイコン２００において、ＩＲＱ＿Ｘ端子が割り込み許可状態である場合に、Ｘ端子１１０ａがカメラマイコン１００によってＧＮＤレベルとされると、閃光装置マイコン２００においてＩＲＱ＿Ｘ端子がＬレベルとなる。これによって、閃光装置マイコン２００は発光動作を開始する。
【００５４】
発光動作を開始すると、閃光装置マイコン２００は発光部（ストロボ：図示せず）を発光制御する（ステップＳ４０１）。そして、閃光装置マイコン２００は発光動作を終了する（リターン）。
【００５５】
このようにして、第１の実施形態では、カメラ１００ａがスリープ状態で、かつ第１の通信インタフェース部１０１の電源１０２がオフされている場合であっても、閃光装置２００ａからカメラ１００ａの起動を行うことが可能となる。つまり、第１の通信インタフェース部１０１とは別に備えられたＸ端子１０１ａを介して、閃光装置２００ａからカメラ１００ａに起動要因を伝えるようにしたので、例えば、混在通信インタフェースを用いてカメラ１００ａと閃光装置２００ａとの通信を行う場合であっても、閃光装置２００ａからカメラ１００ａの起動を行うことができることになる。
【００５６】
（第２の実施形態）
続いて、本発明の第２の実施形態によるカメラの一例について説明する。なお、第２の実施形態ではカメラ及び閃光装置の構成は第１の実施形態と同様であるので、ここでは説明を省略する。
【００５７】
図６は本発明の第２の実施形態によるカメラの動作を説明するためのフローチャートである。
【００５８】
図６において、図２で説明した動作と同一のステップについては同一の参照番号を付し説明を省略する。図１及び図６を参照して、図２において説明したステップＳ１０２において、電源１０２から第１の通信インタフェース部１０１に通電が行われた後、カメラマイコン１００は、Ｘ端子１１０ａをＧＮＤレベルとして閃光装置２００ａの通信割込み要求を許可するため、ＩＲＱ＿ＷＡＫＥ端子に対する割込みを許可する（通信要求：ステップＳ５０３）。
【００５９】
その後、カメラマイコン１００は、ステップＳ１０４においてスリープタイマーをスタートさせる。以後図２で説明したステップＳ１０５〜Ｓ１０７及びステップＳ１０９がカメラマイコン１００で実行されることになる。カメラマイコン１００は、ステップＳ１０７で電源１０２をオフした後、カメラ１００ａがスリープ状態である際に、Ｘ端子１１０ａをＧＮＤレベルとすることによる起動要求を許可するため、ＩＲＱ＿ＷＡＫＥ端子に対する割込みを許可する（起動要求：ステップＳ５０８）。そして、カメラマイコン１００はスリープモードに移行する。
【００６０】
続いて、カメラ１００ａが動作状態である際に、閃光装置２００ａからＸ端子１１０ａをＧＮＤレベルすることによる通信割込み要求があった場合の動作について説明する。
【００６１】
図７は、本発明の第２の実施形態において、カメラが動作状態である際に、閃光装置から通信割込み要求があった場合の動作について説明するためのフローチャートである。
【００６２】
図１及び図７を参照して、いま、閃光装置２００ａから通信割り込み要求があると、カメラマイコン１００は第１及び第２の通信インタフェース部１０１及び２０１を介して閃光装置マイコン２００と通信を行う（ステップＳ６０１）。そして、通信が終了すると、カメラマイコン１００は割り込み処理を終了する（リターン）。ここで、当該通信においては、例えば、カメラマイコン１００はＸ端子１１０ａをＧＮＤレベルとする割込み処理に対応しているか否かを示す情報を通信する。
【００６３】
なお、第２の実施形態において、レリーズ動作については図３で説明した動作と同様であるので説明を省略する。
【００６４】
次に、本発明の第２の実施形態による閃光装置の動作について説明する。
【００６５】
図８は、本発明の第２の実施形態による閃光装置の動作を説明するためのフローチャートである。
【００６６】
図８において、図４で説明した動作と同一のステップについては同一の参照番号を付し説明を省略する。図１及び図８を参照して、図４において説明したように、ステップＳ３０４において、閃光装置マイコン２００は充電回路を所定の電圧まで充電する。続いて、閃光装置マイコン２００は、図７で説明したカメラマイコン１００との通信に基づいて、当該カメラ１００ａが通信割込み要求及びスリープ状態解除に対する割込みに対応するカメラ１００ａであるか否かについて判定する（ステップＳ７０５）。なお、ここで、通信割込み要求は閃光装置マイコン２００がＸ端子１１０ａをＧＮＤレベルとすることによって行われる。
【００６７】
カメラ１００ａが割込み対応カメラでないと（ステップＳ７０５において、ＮＯ）、閃光装置マイコン２００は、図４で説明したようにステップＳ３０６において、電源スイッチがオフ状態とされたか否かを判定して、以後図４で説明したステップＳ３０７〜Ｓ３０９の処理を行う。
【００６８】
一方、カメラ１００ａが割込み対応カメラであると（ステップＳ７０５において、ＹＥＳ）、閃光装置マイコン２００は、第２の通信インタフェース回路２０２の出力に応じてカメラがスリープ状態であるか否かを判定する（ステップＳ７１５）。
【００６９】
ここで、カメラ１００ａがスリープ状態であれば、インタフェース電源１０２はオンされていないので、接続部１１０のＳＣＬＫ端子１１０ｃ及びＭＯＳＩ端子１１０ｄがＧＮＤレベルとなる。従って、閃光装置マイコン２００は第２の通信インタフェース部２０２の出力をみればカメラ１００ａがスリープ状態であるか否かを知ることができる。
【００７０】
カメラ１００ａがスリープ状態であると（ステップＳ７１５において、ＹＥＳ）、閃光装置マイコン２００は、閃光装置２００ａ側の操作部等（図示せず）の操作によって閃光装置２００ａからカメラ１００ａを起動する操作が行われたか否かについて判定する（ステップＳ７１６）。そして、カメラ１００ａの起動操作が行われていないと（ステップＳ７１６において、ＮＯ）、閃光装置マイコン２００は、図４で説明したステップＳ３０６に処理を移行する。
【００７１】
一方、カメラ１００ａの起動操作が行われると（ステップＳ７１６において、ＹＥＳ）、閃光装置マイコン２００は、ＩＲＱ＿Ｘ端子に対する割り込みを禁止し（ステップＳ７２０）、続いて、ＷＡＫＥ端子を所定の期間の間Ｈレベルとする（ステップＳ７２１）。これによって、閃光装置マイコン２００はＦＥＴ（スイッチング素子）２０３を、所定の期間の間オン状態とする。
【００７２】
ＦＥＴ２０３がオンすると、接続部１１０のＸ端子１１０ａがＧＮＤレベルとなって、カメラマイコン１００のＩＲＱ＿ＷＡＫＥ端子がＨレベルからＬレベルとなる。これによって、カメラ１００ａがスリープ状態であれば、カメラマイコン１００に対して起動割り込みが発生する。そして、カメラマイコン１００は図２で説明した動作を開始する（つまり、遷移動作を行う）。
【００７３】
なお、カメラ１００ａが動作状態（スタンバイモード）であれば、カメラマイコン１００は閃光装置マイコン２００に対して通信を開始することになる。
【００７４】
続いて、閃光装置マイコン２００はＩＲＱ＿Ｘ端子に対する割り込みを許可して（ステップＳ７２２）、処理をステップＳ３０６に移行する。このように、閃光装置マイコン２００がＷＡＫＥ端子をＨレベルにする間、閃光装置マイコン２００においてＩＲＱ＿Ｘ端子がＬレベルとなって発生する割り込みが禁止されて、閃光装置における誤発光が防止されることになる。
【００７５】
カメラ１００ａがスリープ状態でないと（ステップＳ７１５において、ＮＯ）、閃光装置マイコン２００は外部からの操作又は閃光装置の状態の変化によって、カメラマイコン１００に通信開始要求が必要であるか否かを判定する（ステップＳ７１７）。そして、通信開始要求が必要でないと判定すると（ステップＳ７１７において、ＮＯ）、閃光装置マイコン２００はステップＳ３０６に処理を移行する。
【００７６】
一方、通信開始要求が必要であると判定すると（ステップＳ７１７において、ＹＥＳ）、閃光装置マイコン２００はステップＳ７２０に処理を移行する。なお、閃光装置マイコン２００の発光動作は、図５で説明した発行動作と同様であるので説明を省略する。
【００７７】
以上のように、第２の実施の形態によれば、カメラ１００ａがスリープ状態で、かつカメラ１００ａ側のインタフェース電源がオフされている場合であっても、閃光装置２００ａからカメラ１００ａの起動を行うことが可能となる。つまり、第２の通信インタフェース部２０１とは別に備えられたＸ端子１１０ａを用いて、閃光装置マイコン２００からカメラマイコン１００に起動要因を伝えることができるので、例えば、混在インタフェースが用いられていても閃光装置２００ａからカメラ１００ａの起動を行うことができるばかりでなく、閃光装置２００ａからカメラ１００ａに対して通信開始要求を行うことができる。
【００７８】
さらに、カメラ１００ａが通信割込み要求及びスリープ状態解除の割込みに対応している場合にのみ、閃光装置マイコン２００はＸ端子１１０ａをＧＮＤレベルとするようにしている。これによって、閃光装置２００ａからカメラ１００ａに対して通信要求を行うことができるばかりでなく、カメラ１００ａをスリープ状態から解除することができる。
【００７９】
加えて、未対応のカメラ１００ａについては、Ｘ端子１１０ａを不用意にＧＮＤレベルとすることがないので、閃光装置２００ａと未対応のカメラ１００ａとが接続された際、未対応カメラ１００ａ及び閃光装置２００ａにおいて、誤動作及びショート等の問題が生じることがない。
【００８１】
以上、本発明について実施の形態に基づいて説明したが、本発明は、これらの実施の形態に限定されるものではなく、この発明の要旨を逸脱しない範囲の様々な形態も本発明に含まれる。
【符号の説明】
【００８２】
１００  カメラマイコン
１０１，２０１  通信インタフェース部
２００  閃光装置マイコン
１０２，１０６，２０２，２０６  電源
１０３，２０３  ＦＥＴ（スイッチング素子）
１０４，２０４  ダイオード
１００  接続部
１０５，２０５  抵抗器
１１０ａ  Ｘ端子
【図１】
0005623235.tif 000002
【図２】
0005623235.tif 000003
【図３】
0005623235.tif 000004
【図４】
0005623235.tif 000005
【図５】
0005623235.tif 000006
【図６】
0005623235.tif 000007
【図７】
0005623235.tif 000008
【図８】
0005623235.tif 000009